(57)【要約】データの転送経路に関する情報を適切な装置に通知するために、本実施形態の通信装置は、無線端末が第一の装置から第二の装置にハンドオーバする場合において、第二の装置及びコアネットワークノードと通信を行う。また、前記通信装置は、ハンドオーバのとき、コアネットワークノードから制御情報を受信する。当該制御情報は、第一の装置から第二の装置に対して転送するデータの転送経路に関する情報である。
2015015773.tif 000002
【特許請求の範囲】
【請求項１】
無線端末が第一の装置から第二の装置にハンドオーバする場合において、
前記第二の装置及びコアネットワークノードと通信可能に構成され、
前記ハンドオーバのとき、前記コアネットワークノードから制御情報を受信可能に構成され、
前記制御情報は、前記第一の装置から前記第二の装置に対して転送するデータの転送経路に関する情報である、通信装置。
【請求項２】
前記制御情報は、前記データの転送をダイレクトフォワーディングで行うか否かを示す情報である、請求項１に記載の通信装置。
【請求項３】
前記第一の装置は、前記コアネットワークノードを有するコアネットワークに対して前記制御情報を送信する、請求項１または２に記載の通信装置。
【請求項４】
前記通信装置は、前記第二の装置のゲートウェイ装置である、請求項１乃至３のいずれか一項に記載の通信装置。
【請求項５】
前記制御情報が、前記データの転送をインダイレクトフォワーディングで行うことを示す場合、前記データをインダイレクトフォワーディングで転送する場合に用いるトンネルが形成される、請求項１乃至４のいずれか一項に記載の通信装置。
【請求項６】
前記通信装置は、前記第二の装置からHANDOVER REQUEST ACKメッセージを受信可能に構成され、
前記制御情報が、前記データの転送をインダイレクトフォワーディングで行うことを示す場合、前記HANDOVER REQUEST ACKメッセージに含まれる前記第二の装置の識別情報を前記通信装置の識別情報に変換したメッセージを、前記コアネットワークノードに送信可能に構成される、請求項１乃至５のいずれか一項に記載の通信装置。
【請求項７】
前記制御情報は、Direct Forwarding Path Availability IEであり、
前記通信装置は、前記コアネットワークノードから、前記Direct Forwarding Path Availability IEを含むHANDOVER REQUESTメッセージを受信する、請求項１乃至６のいずれか一項に記載の通信装置。
【請求項８】
前記制御情報は、Source to Target Transparent Container IEに含まれ、
前記通信装置は、前記コアネットワークノードから、前記Source to Target Transparent Container IEを含むHANDOVER REQUESTメッセージを受信する、請求項１乃至６のいずれか一項に記載の通信装置。
【請求項９】
無線端末が第一の装置から第二の装置にハンドオーバする場合において、
前記第二の装置との間で通信を行う通信装置と通信可能に構成され、
前記ハンドオーバのとき、前記通信装置へ制御情報を送信可能に構成され、
前記制御情報は、前記第一の装置から前記第二の装置に対して転送するデータの転送経路に関する情報である、コアネットワークノード。
【請求項１０】
前記制御情報は、前記データの転送をダイレクトフォワーディングで行うか否かを示す情報である、請求項９に記載のコアネットワークノード。
【請求項１１】
前記制御情報は、前記第一の装置から、前記コアネットワークノードを有するコアネットワークに送信される、請求項９または１０に記載のコアネットワークノード。
【請求項１２】
前記通信装置は、前記第二の装置のゲートウェイ装置である、請求項９乃至１１のいずれか一項に記載のコアネットワークノード。
【請求項１３】
前記制御情報が、前記データの転送をインダイレクトフォワーディングで行うことを示す場合、前記データをインダイレクトフォワーディングで転送する場合に用いるトンネルが形成される、請求項９乃至１２のいずれか一項に記載のコアネットワークノード。
【請求項１４】
前記制御情報が、前記データの転送をインダイレクトフォワーディングで行うことを示す場合、前記第二の装置から送信されたHANDOVER REQUEST ACKメッセージに含まれる前記第二の装置の識別情報を前記通信装置の識別情報に変換したメッセージを、前記通信装置から受信可能に構成される、請求項９乃至１３のいずれか一項に記載のコアネットワークノード。
【請求項１５】
前記制御情報は、Direct Forwarding Path Availability IEであり、
前記コアネットワークノードは、前記通信装置へ前記Direct Forwarding Path Availability IEを含むHANDOVER REQUESTメッセージを送信する、請求項９乃至１４のいずれか一項に記載のコアネットワークノード。
【請求項１６】
前記制御情報は、Source to Target Transparent Container IEに含まれ、
前記コアネットワークノードは、前記通信装置へ前記Source to Target Transparent Container IEを含むHANDOVER REQUESTメッセージを送信する、請求項９乃至１４のいずれか一項に記載のコアネットワークノード。
【請求項１７】
第一の装置から第二の装置へハンドオーバを行う無線端末と、
前記第二の装置及びコアネットワークノードと通信を行う通信装置と、を有し、
前記ハンドオーバのとき、前記コアネットワークノードは、前記通信装置に対して制御情報を送信し、
前記制御情報は、前記第一の装置から前記第二の装置に対して転送するデータの転送経路に関する情報である、移動通信システム。
【請求項１８】
前記制御情報は、前記データの転送をダイレクトフォワーディングで行うか否かを示す情報である、請求項１７に記載の移動通信システム。
【請求項１９】
前記第一の装置は、前記コアネットワークノードを有するコアネットワークに対して前記制御情報を送信する、請求項１７または１８に記載の移動通信システム。
【請求項２０】
前記通信装置は、前記第二の装置のゲートウェイ装置である、請求項１７乃至１９のいずれか一項に記載の移動通信システム。
【請求項２１】
前記制御情報が、前記データの転送をインダイレクトフォワーディングで行うことを示す場合、前記データをインダイレクトフォワーディングで転送する場合に用いるトンネルが形成される、請求項１７乃至２０のいずれか一項に記載の移動通信システム。
【請求項２２】
前記通信装置は、前記第二の装置からHANDOVER REQUEST ACKメッセージを受信可能に構成され、
前記制御情報が、前記データの転送をインダイレクトフォワーディングで行うことを示す場合、前記HANDOVER REQUEST ACKメッセージに含まれる前記第二の装置の識別情報を前記通信装置の識別情報に変換したメッセージを、前記コアネットワークノードに送信可能に構成される、請求項１７乃至２１のいずれか一項に記載の移動通信システム。
【請求項２３】
前記制御情報は、Direct Forwarding Path Availability IEであり、
前記通信装置は、前記コアネットワークノードから、前記Direct Forwarding Path Availability IEを含むHANDOVER REQUESTメッセージを受信する、請求項１７乃至２２のいずれか一項に記載の移動通信システム。
【請求項２４】
前記制御情報は、Source to Target Transparent Container IEに含まれ、
前記通信装置は、前記コアネットワークノードから、前記Source to Target Transparent Container IEを含むHANDOVER REQUESTメッセージを受信する、請求項１７乃至２２のいずれか一項に記載の移動通信システム。
【請求項２５】
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信する、通信方法。
【請求項２６】
前記制御情報は、前記データの転送をダイレクトフォワーディングで行うか否かを示す情報である、請求項２５に記載の通信方法。
【請求項２７】
前記制御情報が、前記データの転送をインダイレクトフォワーディングで行うことを示す場合、前記データをインダイレクトフォワーディングで転送する場合に用いるトンネルが形成される請求項２５または２６に記載の通信方法。
【請求項２８】
前記制御情報が、前記データの転送をインダイレクトフォワーディングで行うことを示す場合、前記制御情報を受信した後に、前記第二の装置から送信されたHANDOVER REQUEST ACKメッセージに含まれる前記第二の装置の識別情報を通信装置である自装置の識別情報に変換したメッセージを、前記コアネットワークノードに送信する、請求項２５乃至２７のいずれか一項に記載の通信方法。
【請求項２９】
前記制御情報は、Direct Forwarding Path Availability IEを含む、
請求項２５乃至２８のいずれか一項に記載の通信方法。
【請求項３０】
前記制御情報は、Source to Target Transparent Container IEに含まれる、
請求項２５乃至２８のいずれか一項に記載の通信方法。
【請求項３１】
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信するプロセスをコンピュータに実行させるプログラムを記憶する記憶媒体。
【発明の詳細な説明】
【技術分野】
【０００１】
本明細書の開示は、通信装置、コアネットワークノード、移動通信システム、通信方法及び記憶媒体に関する。
【背景技術】
【０００２】
移動通信システムにおいては、通信中の通信端末が移動した場合に通信を継続させる必要がある。そのため、移動通信システムは、通信端末が移動した場合においても通信を継続させるためにハンドオーバ処理を実行する。【０００３】
ここで、3rd Generation Partnership Project（３ＧＰＰ）においては、高速移動通信を実現するためにLong Term Evolution（ＬＴＥ）システムが規定されている。ＬＴＥシステムにおけるハンドオーバ処理には、ハンドオーバ処理実行中に発生した通信端末に対するデータの欠落を防ぐために、Direct Forwarding及びIndirect Forwardingという二つのデータフォワーディング技術が用いられている。【０００４】
Direct Forwardingは、通信端末が現在在圏しているエリアを形成するハンドオーバ元基地局と、通信端末の移動先のエリアを形成するハンドオーバ先基地局とを直接接続しているＸ２リンクを介して、ハンドオーバ元基地局からハンドオーバ先基地局へハンドオーバ処理中に発生した通信端末に対するデータを送信する技術である。【０００５】
Indirect Forwardingは、コアネットワーク内に配置されている装置であって、データを中継する中継装置を介して、ハンドオーバ元基地局からハンドオーバ先基地局へハンドオーバ処理中に発生した通信端末に対するデータを送信する技術である。【０００６】
なお、特許文献１には、Ｘ２インタフェースを用いてデータフォワーディングが実行されるＸ２ハンドオーバ、Ｓ１インタフェースを用いてデータフォワーディングが実行されるＳ１ハンドオーバ、が開示されている。
【先行技術文献】
【特許文献】
【０００７】
【特許文献１】特開２０１１−２２３５２５号公報
【発明の概要】
【発明が解決しようとする課題】
【０００８】
しかし、特許文献１には、データフォワーディング種別を識別する具体的方法について開示されていない。そこで、本発明の目的は、データの転送経路に関する情報を適切な装置に通知することが可能な、移動通信システムを提供することを目的とする。
【課題を解決するための手段】
【０００９】
例示的な実施形態にかかる通信装置は、無線端末が第一の装置から第二の装置にハンドオーバする場合において、前記第二の装置及びコアネットワークノードと通信可能に構成され、前記ハンドオーバのとき、前記コアネットワークノードから制御情報を受信可能に構成され、前記制御情報は、前記第一の装置から前記第二の装置に対して転送するデータの転送経路に関する情報である。【００１０】
例示的な実施形態にかかるコアネットワークノードは、無線端末が第一の装置から第二の装置にハンドオーバする場合において、前記第二の装置との間で通信を行う通信装置と通信可能に構成され、前記ハンドオーバのとき、前記通信装置へ制御情報を送信可能に構成され、前記制御情報は、前記第一の装置から前記第二の装置に対して転送するデータの転送経路に関する情報である。【００１１】
例示的な実施形態にかかる移動通信システムは、第一の装置から第二の装置へハンドオーバを行う無線端末と、前記第二の装置及びコアネットワークノードと通信を行う通信装置と、を有し、前記ハンドオーバのとき、前記コアネットワークノードは、前記通信装置に対して制御情報を送信し、前記制御情報は、前記第一の装置から前記第二の装置に対して転送するデータの転送経路に関する情報である。【００１２】
例示的な実施形態にかかる通信方法は、無線端末が第一の装置から第二の装置にハンドオーバする場合において、前記ハンドオーバのとき、前記コアネットワークノードから、前記第一の装置から前記第二の装置に対して転送するデータの転送経路に関する情報である制御情報を受信するものである。【００１３】
例示的な実施形態にかかる記憶媒体は、無線端末が第一の装置から第二の装置にハンドオーバする場合において、前記ハンドオーバのとき、コアネットワークノードから、前記第一の装置から前記第二の装置に対して転送するデータの転送経路に関する情報である制御情報を受信するプロセスをコンピュータに実行させるプログラムを記憶するものである。
【発明の効果】
【００１４】
本発明の例示的な実施形態によれば、データの転送経路に関する情報を適切な装置に通知することができる。
【図面の簡単な説明】
【００１５】
【図１】例示的な実施の形態１にかかる移動通信システムの構成図である。
【図２】例示的な実施の形態２にかかる移動通信システムの構成図である。
【図３】例示的な実施の形態３にかかる信号処理の流れを説明する図である。
【図４】例示的な実施の形態３にかかる信号処理の流れを説明する図である。
【図５】例示的な実施の形態３にかかるＭＭＥにおけるハンドオーバ処理の流れを説明する図である。
【図６】例示的な実施の形態３にかかるＭＭＥにおけるハンドオーバ処理の流れを説明する図である。
【図７】例示的な実施の形態３にかかるS1AP:Handover Requestメッセージの構成を説明する図である。
【図８】例示的な実施の形態３にかかるＨｅＮＢ−ＧＷにおけるハンドオーバ処理の流れを説明する図である。
【図９】例示的な実施の形態４にかかる移動通信システムの構成図である。
【図１０】例示的な実施の形態４にかかる移動通信システムの構成図である。
【図１１】例示的な実施の形態４にかかる移動通信システムの構成図である。
【図１２】例示的な実施の形態４にかかる移動通信システムの構成図である。
【図１３】例示的な実施の形態４にかかる移動通信システムの構成図である。
【図１４】例示的な実施の形態４にかかる移動通信システムの構成図である。
【図１５】例示的な実施の形態４にかかる移動通信システムの構成図である。
【図１６】例示的な実施の形態４にかかる移動通信システムの構成図である。
【図１７】例示的な実施の形態５にかかるＨｅＮＢ−ＧＷにおけるハンドオーバ処理の流れを説明する図である。
【図１８】例示的な実施の形態５にかかるデータフォワーディング種別に関する情報を管理するデータベースを説明する図である。
【図１９】例示的な実施形態の移動通信システムの構成図である。
【発明を実施するための形態】
【００１６】
以下では、具体的な実施形態について、図面を参照しながら詳細に説明する。各図面において、同一又は対応する要素には同一の符号が付されており、説明の明確化のため、必要に応じて重複説明は省略される。
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
（実施の形態１）
図１を用いて例示的な実施の形態１にかかる移動通信システムの構成例について説明する。図１の移動通信システムは、コアネットワークノード２５、通信装置１１０、装置５５、装置１２５及び無線端末８５を有している。通信装置１１０は、例えば、基地局のゲートウェイ装置や、ドナー基地局である。装置５５、１２５は、例えば、基地局やリレーノードである。
【００１７】
本図においては、無線端末８５が、装置５５が形成するセル７５から装置１２５が形成するセル１３５へハンドオーバする様子を示している。
【００１８】
コアネットワークノード２５は、例えば複数のコアネットワークノードを有するコアネットワークに含まれるノードであってもよい。
【００１９】
通信装置１１０は、装置１２５及びコアネットワークノード２５と通信を行う。ここで、通信装置１１０は、装置１２５及びコアネットワークノード２５と通信を行うために送信部１１２を有している。さらに、通信装置１１０は、無線端末８５がハンドオーバを行う際に、コアネットワークノード２５から制御情報を受信するために受信部１１１を有している。
【００２０】
ここで制御情報は、装置５５から装置１２５へ転送するデータの転送経路に関する情報である。なお、転送するデータとは、例えば、ハンドオーバのときに、無線端末８５への送信が失敗した下りデータや、無線端末８５からの送信が失敗した上りデータである。
【００２１】
以上説明したように、例示的な実施の形態１にかかる通信装置１１０は、装置５５から装置１２５へ転送されるデータの転送経路に関する情報をコアネットワークノード２５から受信することができる。これによって、通信装置１１０は、装置５５から装置１２５へ転送されるデータの転送経路を認識することができるため、データの転送経路に応じた処理を実行することができる。
【００２２】
（実施の形態２）
図２を用いて例示的な実施の形態２にかかる移動通信システムの構成例について説明する。図２の移動通信システムは、中継装置１５、中継装置９０、コアネットワーク制御装置２０、コアネットワーク制御装置１００、通信装置３０、通信装置１１０、基地局４０、基地局５０及び基地局１２０を有している。
【００２３】
基地局５０は、図１の装置５５に対応する。基地局４０は、セル６０を形成する。基地局５０は、セル７０を形成する。基地局１２０は、セル１３０を形成する。また、本図においては、通信端末８０が、セル７０からセル１３０へ移動する様子を示している。つまり、通信端末８０が、セル７０からセル１３０へハンドオーバしている様子を示している。そのため、以下に、基地局５０をハンドオーバ元基地局とし、基地局１２０をハンドオーバ先基地局として説明する。
【００２４】
通信端末８０は、図１の無線端末８５に対応する。通信端末８０は、携帯電話端末、スマートフォン端末、タブレット型端末もしくは通信機能を有するコンピュータ装置等であってもよい。また、通信端末８０は、３ＧＰＰにおいて移動通信端末の総称として用いられるUser Equipment（ＵＥ）と称されてもよい。
【００２５】
基地局４０、５０及び１２０は、例えば、３ＧＰＰにおいてＬＴＥ対応の基地局として規定されているｅＮＢもしくは３ＧＰＰにおいてフェムト基地局として規定されているHome. evolved NodeB(ＨｅＮＢ)であってもよい。また、基地局４０、５０及び１２０は、例えば、サービスエリアの拡大等を目的として用いられるRelay Node（ＲＮ）であってもよい。
【００２６】
コアネットワーク制御装置１００は、図１のコアネットワークノード２５に対応する。
コアネットワーク制御装置２０及び１００は、通信端末８０がセルを移動する際のハンドオーバ処理を制御する。コアネットワーク制御装置２０及び１００は、例えば、３ＧＰＰにおいて規定されているMobility Management Entity (ＭＭＥ)であってもよい。
【００２７】
通信装置３０及び１１０は、複数の基地局を収容する。通信装置３０及び１１０は、例えば、３ＧＰＰにおいてＨｅＮＢを集約する装置として規定されているＨｅＮＢ−ＧＷであってもよい。また、通信装置３０及び１１０は、３ＧＰＰにおいてＲＮを集約する装置として規定されているDonor eNB（ＤｅＮＢ）であってもよい。
【００２８】
コアネットワーク制御装置２０、中継装置１５及び９０は、図１のコアネットワークノード２５を含むコアネットワークに含まれる他のコアネットワークノードに対応する。中継装置１５及び９０は、例えば、通信端末８０及び他の通信端末、もしくは、通信端末８０及びサーバ装置の間等において伝送されるユーザデータを中継する。中継装置１５及び９０は、例えば、３ＧＰＰにおいて規定されているServing Gateway (ＳＧＷ)もしくはPacket Data Network Gateway（ＰＧＷ）であってもよい。
【００２９】
続いて、各装置の処理動作について説明する。基地局５０は、ハンドオーバ先のエリアを形成する基地局１２０へ転送するデータを、該基地局１２０に送信する。ここで、基地局１２０へ転送するデータとは、通信端末８０のハンドオーバ処理の実行中に発生した通信端末８０に関するデータである。具体的には、例えば、ハンドオーバ処理の途中であるために、通信端末８０へ送信することができなかった下りユーザデータ、もしくは通信端末８０からの送信が失敗した上りユーザデータ等であってもよい。また、基地局５０は、コアネットワーク制御装置１００へ、制御情報を送信する。制御情報とは、基地局５０が、基地局１２０へのデータの転送を、ダイレクトフォワーディング（Direct Forwarding）で行うか、インダイレクトフォワーディング（Indirect Forwarding）で行うか、を示す情報である。Indirect Forwardingとは、基地局５０が、通信装置３０、中継装置１５、中継装置９０及び通信装置１１０を介して、基地局１２０へデータを転送することを示す。また、Direct Forwardingとは、基地局５０が、基地局５０と基地局１２０との間に設定された通信リンク、すなわちX2インターフェースを用いて、基地局１２０へデータを転送することを示す。
【００３０】
基地局５０は、例えば、制御情報を通信装置３０及びコアネットワーク制御装置２０を介してコアネットワーク制御装置１００へ送信する。
【００３１】
続いて、コアネットワーク制御装置１００の構成例について説明する。コアネットワーク制御装置１００は、受信部１０１及び送信部１０２を有する。ここで、コアネットワーク制御装置２０は、コアネットワーク制御装置１００と同様に、受信部２１及び送信部２２を有する。コアネットワーク制御装置２０は、コアネットワーク制御装置１００と同様の構成を有するため、以下においては、詳細な説明を省略する。
【００３２】
受信部１０１は、通信装置３０及びコアネットワーク制御装置２０を介して送信された制御情報を受信する。受信部１０１は、受信した制御情報を送信部１０２へ出力する。
【００３３】
送信部１０２は、受信部１０１から出力された制御情報を、通信装置１１０へ送信する。送信部１０２は、コアネットワーク制御装置１００と通信装置１１０との間において定められた通信プロトコルにおいて、制御情報を含むメッセージを生成する。送信部１０２は、制御情報を含むメッセージを通信装置１１０へ送信する。
【００３４】
続いて、通信装置１１０の構成例について説明する。通信装置１１０は、受信部１１１及び送信部１１２を有する。ここで、通信装置３０は、通信装置１１０と同様に、受信部３１及び送信部３２を有する。通信装置３０は、通信装置１１０と同様の構成を有するため、以下においては詳細な説明を省略する。
【００３５】
受信部１１１は、コアネットワーク制御装置１００から送信された制御情報を受信する。受信部１１１は、受信した制御情報を送信部１１２へ出力する。
【００３６】
送信部１１２は、制御情報にIndirect Forwardingを実施することが示されている場合、ハンドオーバ処理の実行中に発生した通信端末８０に関するデータの宛先として通信装置１１０の識別情報を基地局５０へ通知する。送信部１１２は、コアネットワーク制御装置１００、コアネットワーク制御装置２０及び通信装置３０を介して識別情報を基地局５０へ送信する。
【００３７】
また、送信部１１２は、制御情報にDirect Forwardingを実施することが示されている場合、ハンドオーバ処理の実行中に発生した通信端末８０に関するデータの宛先として基地局１２０の識別情報を基地局５０へ通知する。送信部１１２は、コアネットワーク制御装置１００、コアネットワーク制御装置２０及び通信装置３０を介して識別情報を基地局５０へ送信する。
【００３８】
以上説明したように、本実施形態の図２にかかる移動通信システムにおいて、通信装置１１０は、コアネットワーク制御装置１００を介して基地局５０がIndirect Forwardingを実施するか、Direct Forwardingを実施するかに関する情報を受信することができる。ここで、通信装置１１０は、通信端末８０のハンドオーバ先の基地局である基地局１２０を収容するゲートウェイ装置である。また、基地局５０は、通信端末８０のハンドオーバ元の基地局である。
【００３９】
そのため、通信装置１１０は、基地局５０が実行するデータフォワーディング種別に応じて、基地局５０に対して、ハンドオーバ処理中に発生した通信端末８０に関するデータの宛先として、適切な識別情報を通知することができる。
【００４０】
これによって、例えば、基地局５０がDirect Forwardingを実施することを予定している場合において、通信装置１１０が、自装置の識別情報を基地局５０へ通知することを防止することができる。
【００４１】
仮に、基地局５０がDirect Forwardingを実施することを予定している場合に、通信装置１１０が、自装置の識別情報を基地局５０へ通知した場合、データフォワーディングが失敗してしまう可能性がある。もしくは、このような場合、基地局５０は、中継装置１５及び９０を経由してデータを送信することになってしまい、コアネットワーク内の通信リソースを余計に使用することになる。さらに、このような場合、通信装置３０及び１１０がデータの転送処理（フォワーディング処理）を実行することになるため、通信装置３０及び１１０におけるデータ処理能力を消費してしまうことになり、データ転送遅延が増加するということになる。
【００４２】
また、仮に、基地局５０がIndirect Forwardingを実施することを予定している場合に、通信装置１１０が基地局１２０の識別情報を基地局５０へ通知した場合、データフォワーディングが失敗してしまう可能性がある。また、このような場合、データをフォワーディングするために使用するコアネットワーク制御装置２０あるいは中継装置１５側のアドレス空間と、基地局５０側のアドレス空間の独立性も低下してしまい、通信装置３０を設置するメリットが失われてしまう。
【００４３】
通信装置１１０は、基地局５０が実行するデータフォワーディング種別に応じて、基地局５０に対して、ハンドオーバ処理中に発生した通信端末８０に関するデータの宛先として、適切な識別情報を通知することができる。そのため、上述した問題を防止することができる。
【００４４】
なお、本実施形態においては、コアネットワーク制御装置１００から通信装置１１０に対して、Indirect Forwardingを実施するか、Direct Forwardingを実施するかを示す制御情報を送信することとしたが、これに限らない。例えば、コアネットワーク制御装置１００は通信装置１１０に対して、基地局４０と基地局５０の間にX2インターフェースが形成されているか否かを示す情報を、制御情報として送信することとしてもよい。そして、通信装置１１０は、基地局４０と基地局５０の間にX2インターフェースが形成されていることを示す制御情報を受信した場合、Direct Forwardingを実施すると判断することとしてもよい。
【００４５】
（実施の形態３）
続いて、図３及び図４を用いて例示的な実施の形態３にかかる信号処理の流れについて説明する。図３及び図４においては，３ＧＰＰにおいて規定されている移動通信システムにおける信号処理の流れについて説明する。図３及び図４においては、図１９と同様に、図２における通信端末８０をＵＥ８とし、基地局５０をＳ−ＨｅＮＢ５とし、通信装置３０をＳ−ＨｅＮＢ−ＧＷ３とし、コアネットワーク制御装置２０をＳ−ＭＭＥ２とし、中継装置１５をＳ−ＳＧＷ１とし、中継装置９０をＴ−ＳＧＷ９とし、コアネットワーク制御装置１００をＴ−ＭＭＥ１０とし、通信装置１１０をＴ−ＨｅＮＢ−ＧＷ１１とし、基地局１２０をＴ−ＨｅＮＢ１２として具体的に説明する。
【００４６】
また、通信装置３０及び１１０は、ＨｅＮＢを収容するＨｅＮＢ−ＧＷではなく、スモールセル、ピコセルもしくはマイクロセル等を形成する基地局を収容するゲートウェイ装置であってもよい。また、通信装置３０及び通信装置１１０は、局舎に配置されるゲートウェイ装置のみではなく、企業に設置されるゲートウェイ装置であってもよい。
【００４７】
本図においては、ＵＥ８は、Ｓ−ＳＧＷ１、Ｓ−ＨｅＮＢ−ＧＷ３及びＳ−ＨｅＮＢ５を介して下りユーザデータ(Downlink User Data)を受信しているとする。
【００４８】
はじめに、手順１において、Ｓ−ＨｅＮＢ５は、ＵＥ８が他のセルへハンドオーバする状態であることを検出する。例えば、Ｓ−ＨｅＮＢ５は、ＵＥ８が電波状況等に基づいて他のセルへハンドオーバを実行することを通知してきた場合に、ＵＥ８が他のセルへハンドオーバする状態であることを検出する。
【００４９】
次に、手順２において、Ｓ−ＨｅＮＢ５は、ＵＥ８のハンドオーバ処理の実行を要求するS1AP:Handover RequiredメッセージをＳ−ＨｅＮＢ−ＧＷ３へ送信する。さらに、Ｓ−ＨｅＮＢ−ＧＷ３は、受信したS1AP:Handover RequiredメッセージをＳ−ＭＭＥ２へ送信する。Ｓ−ＨｅＮＢ５は、S1AP:Handover Requiredメッセージに、Direct Forwarding Path Availability IEと、Target HeNB IDとを設定する。Direct Forwarding Path Availability IEは、Direct Forwardingを実施するか、Indirect Forwardingを実施するかを示す情報である。また、Target HeNB IDは、ＵＥの移動先のエリアを形成するＨｅＮＢ（例えば、Ｔ−ＨｅＮＢ１２）の識別情報である。
【００５０】
次に、手順３において、Ｓ−ＭＭＥ２は、ハンドオーバ先のセルにおけるＵＥ８を管理するＴ−ＭＭＥ１０へ、ＵＥ８がハンドオーバすることを通知するGTPv2-C：Forward Relocation Requestメッセージを送信する。Ｓ−ＭＭＥ２は、GTPv2-C：Forward Relocation RequestメッセージのIndication Flags IEに、Direct Forwarding Indicationの値を設定する。Direct Forwarding Indicationには、例えば、Ｓ−ＨｅＮＢ５が、Direct Forwardingを実施する場合「１」を設定し、Indirect Forwardingを実施する場合「０」を設定する。
【００５１】
次に、手順４ａにおいて、Ｔ−ＭＭＥ１０は、Ｔ−ＳＧＷ９とＴ−ＨｅＮＢ−ＧＷ１１との間の通信経路を設定するために、Ｔ−ＳＧＷ９へ、Create Session Requestメッセージを送信する。次に、手順４ｂにおいて、Ｔ−ＳＧＷ９は、Ｔ−ＭＭＥ１０へ、Create Session Responseメッセージを送信する。Ｔ−ＳＧＷ９は、Create Session Responseメッセージに、Ｔ−ＳＧＷ９に関するInternet Protocol（ＩＰ）アドレス及びTunnel Endpoint Identifier(ＴＥＩＤ)を設定する。ＴＥＩＤは、データを送受信する際に用いるＧＴＰトンネルの宛先を識別する情報である。Ｔ−ＳＧＷ９のＴＥＩＤは、Ｔ−ＳＧＷ９とＴ−ＨｅＮＢ−ＧＷ１１との間に設定されるGeneral packet radio service(GPRS) Tunneling Protocol(ＧＴＰ)トンネルのＴ−ＳＧＷ９側の宛先を識別する情報である。
【００５２】
次に、手順５ａ−１において、Ｔ−ＭＭＥ１０は、Ｔ−ＨｅＮＢ−ＧＷ１１へＵＥ８に関するハンドオーバ処理の実行を指示するS1AP:Handoover Requestメッセージを送信する。Ｔ−ＭＭＥ１０は、S1AP:Handover Requestメッセージに、Ｔ−ＳＧＷ９に関するＩＰアドレス及びＴＥＩＤと、Direct Forwarding Path Availability IEとを設定する。
【００５３】
次に、手順５ａ−２において、Ｔ−ＨｅＮＢ−ＧＷ１１は、Ｔ−ＨｅＮＢ１２へＵＥ８のハンドオーバ処理の実行を指示するS1AP:Handover Requestメッセージを送信する。Ｔ−ＨｅＮＢ−ＧＷ１１は、S1AP:Handover Requestメッセージに、Ｔ−ＨｅＮＢ−ＧＷ１１に関するＩＰアドレス及びＴＥＩＤを設定する。
【００５４】
次に、手順５ｂ−１において、Ｔ−ＨｅＮＢ１２は、S1AP:Handover Requestメッセージの応答メッセージとして、S1AP:Handover Request AckメッセージをＴ−ＨｅＮＢ−ＧＷ１１へ送信する。Ｔ−ＨｅＮＢ１２は、S1AP:Handover Request Ackメッセージに、Ｔ−ＨｅＮＢ１２に関するＩＰアドレス及びＴＥＩＤを設定する。
【００５５】
次に、手順５ｂ−２において、Ｔ−ＨｅＮＢ−ＧＷ１１は、S1AP:Handover Requestメッセージの応答メッセージとして、S1AP:Handover Request AckメッセージをＴ−ＭＭＥ１０へ送信する。ここで、Ｔ−ＨｅＮＢ−ＧＷ１１は、手順５ａ−１において、S1AP:Handover Requestメッセージに、Direct Forwardingを実施することを示すDirect Forwarding Availability Path IEが設定されていた場合、S1AP:Handover Request Ackメッセージに、Ｔ−ＨｅＮＢ１２に関するＩＰアドレス及びＴＥＩＤを設定する。一方、Ｔ−ＨｅＮＢ−ＧＷ１１は、手順５ａ−１において受信するS1AP:Handover Requestメッセージに、Indirect Forwardingを実施することを示すDirect Forwarding Availability Path IEが設定されていた場合、手順５ｂ−２において、次の処理を行う。すなわち、Ｔ−ＨｅＮＢ−ＧＷ１１は、手順５ｂ−１で受信したS1AP:Handover Request Ackメッセージに設定されているＴ−ＨｅＮＢ１２に関するＩＰアドレス及びＴＥＩＤを、Ｔ−ＨｅＮＢ−ＧＷ１１に関するＩＰアドレス及びＴＥＩＤに変換する。そして、該変換を行ったHandover Request Ackメッセージを、Ｔ−ＭＭＥ１０が送信される。
【００５６】
また、手順５ａ−１において受信するS1AP:Handover Requestメッセージに、Indirect Forwardingを実施することを示すDirect Forwarding Availability Path IEが設定されていた場合、Ｓ−ＨｅＮＢ５からＴ−ＨｅＮＢ１２に対してIndirect Forwardingによってデータ転送する際に用いるトンネルを形成する必要がある。このトンネルは、次に述べる手順６ａ、６ｂ、及び手順８ａ、８ｂによって形成される。すなわち、Indirect Forwardingが実施される場合、手順６ａにおいて、Ｔ−ＭＭＥ１０は、Ｔ−ＳＧＷ９へCreate Indirect Forwarding Tunnel Requestメッセージを送信する。さらに、手順６ｂにおいて、Ｔ−ＳＧＷ９は、Ｔ−ＭＭＥ１０へCreate Indirect Forwarding Tunnel Responseメッセージを送信する。手順６ａ及び６ｂを実施することによって、Indirect Forwardingを実施する際の、Ｔ−ＳＧＷ９及びＴ−ＨｅＮＢ−ＧＷ１１間にＧＴＰトンネルが設定される。Direct Forwardingが実施される場合、手順６ａ及び６ｂは省略される。
【００５７】
次に、手順７において、Ｔ−ＭＭＥ１０は、手順３におけるGTPv2-C：Forward Relocation Requestメッセージに対する応答信号として、GTPv2-C：Forward Relocation ResponseメッセージをＳ−ＭＭＥ２へ送信する。
【００５８】
次に、Indirect Forwardingが実施される場合、手順８ａにおいて、Ｓ−ＭＭＥ２は、Ｓ−ＳＧＷ１へCreate Indirect Forwarding Tunnel Requestメッセージを送信する。さらに、手順８ｂにおいて、Ｓ−ＳＧＷ１は、Ｓ−ＭＭＥ２へCreate Indirect Forwarding Tunnel Responseメッセージを送信する。手順８ａ及び８ｂを実施することによって、Indirect Forwardingを実施する際の、Ｓ−ＳＧＷ１及びＳ−ＨｅＮＢ−ＧＷ３間にＧＴＰトンネルが設定される。Direct Forwardingが実施される場合、手順８ａ及び８ｂは省略される。
【００５９】
次に、手順９−１において、Ｓ−ＭＭＥ２は、Ｓ−ＨｅＮＢ−ＧＷ３へＵＥ８のハンドオーバ処理の実行を指示するHandover Commandメッセージを送信する。Ｓ−ＭＭＥ２は、手順２において、S1AP:Handover Requiredメッセージに、Direct Forwardingを実施することを示すDirect Forwarding Availability Path IEが設定されていた場合、Handover Commandメッセージに、Ｔ−ＨｅＮＢ１２に関するＩＰアドレス及びＴＥＩＤを設定する。
また、Ｓ−ＭＭＥ２は、手順２において、S1AP:Handover Requiredメッセージに、Indirect Forwardingを実施することを示すDirect Forwarding Availability Path IEが設定されていた場合、Handover Commandメッセージに、Ｓ−ＳＧＷ１に関するＩＰアドレス及びＴＥＩＤを設定する。
【００６０】
次に、手順９−２において、Ｓ−ＨｅＮＢ−ＧＷ３は、Ｓ−ＨｅＮＢ５へＵＥ８のハンドオーバ処理の実行を指示するHandover Commandメッセージを送信する。Ｓ−ＨｅＮＢ−ＧＷ３は、手順２において、S1AP:Handover Requiredメッセージに、Direct Forwardingを実施することを示すDirect Forwarding Availability Path IEが設定されていた場合、Handover Commandメッセージに、Ｔ−ＨｅＮＢ１２に関するＩＰアドレス及びＴＥＩＤを設定する。また、Ｓ−ＨｅＮＢ−ＧＷ３は、手順２において、S1AP:Handover Requiredメッセージに、Indirect Forwardingを実施することを示すDirect Forwarding Availability Path IEが設定されていた場合、Handover Commandメッセージに、Ｓ−ＨｅＮＢ−ＧＷ３に関するＩＰアドレス及びＴＥＩＤを設定する。
【００６１】
次に、Direct Forwardingが実施される場合、手順１０ａにおいて、Ｓ−ＨｅＮＢ５は、Ｔ−ＨｅＮＢ１２へ直接データを送信する。また、Indirect Forwardingが実施される場合、手順１０ｂにおいて、Ｓ−ＨｅＮＢ５は、Ｓ−ＨｅＮＢ−ＧＷ３、Ｓ−ＳＧＷ１、Ｔ−ＳＧＷ９及びＴ−ＨｅＮＢ−ＧＷ１１を介してＴ−ＨｅＮＢ１２へデータを送信する。データフォワーディング種別に応じて、手順１０ａもしくは手順１０ｂが実行される。
【００６２】
次に、手順１２において、ＵＥ８は、ハンドオーバ処理を完了すると、Ｔ−ＨｅＮＢ１２へHandover Confirmメッセージを送信する。以降、Ｔ−ＨｅＮＢ１２は、ＵＥ８に対してDownlink User Dataを送信する。
【００６３】
また、手順５ａ−１において、Ｔ−ＭＭＥ１０は、S1AP:Handover RequestメッセージにDirect Forwarding Path Availability IEを設定することを説明したが、Direct Forwarding Path Availability IEとは異なるパラメータを設定してもよい。たとえば、Ｔ−ＭＭＥ１０は、S1AP:Handover RequestメッセージのSource to Target Transparent Container IEに、Direct Forwardingを実施するかIndirect Forwardingを実施するかに関する情報を含めてもよい。また、Ｔ−ＭＭＥ１０は、S1APプロトコル以外の、例えばGTPプロトコル等を用いて、Direct Forwardingを実施するかIndirect Forwardingを実施するかに関する情報を示してもよい。
【００６４】
続いて、図５を用いて、Ｓ−ＭＭＥ２が実行するハンドオーバ処理の流れについて説明する。はじめに、Ｓ−ＭＭＥ２の受信部２１は、Ｓ−ＨｅＮＢ−ＧＷ３から送信されたS1AP:Handover Requiredメッセージを受信する（Ｓ２１）。次に、Ｓ−ＭＭＥ２の受信部２１は、S1AP:Handover Requiredメッセージに設定されたDirect Forwarding Path Availability IEを保存する（Ｓ２２）。例えば、受信部２１は、Ｓ−ＭＭＥ２の内部に設けられたメモリ装置もしくは外付けされたメモリ装置等へDirect Forwarding Path Availability IEを保存する。
【００６５】
次に、Ｓ−ＭＭＥ２の送信部２２は、S1AP:Handover Requiredメッセージに設定されたTarget HeNB IDが、Ｓ−ＭＭＥ２とは異なる他のＭＭＥ配下に存在するか否かを判定する（Ｓ２３）。Ｓ−ＭＭＥ２の送信部２２は、Target HeNB IDが他のＭＭＥ配下に存在すると判定した場合、GTPv2-C:Forward Relocation Requestメッセージに、保存したDirect Forwarding Path Availability IEの値を設定し、GTPv2-C:Forward Relocation RequestメッセージをＴ−ＭＭＥ１０へ送信する（Ｓ２４）。
【００６６】
Ｓ−ＭＭＥ２の送信部２２は、Target HeNB IDが他のＭＭＥ配下に存在しない、つまり、Ｓ−ＭＭＥ２配下に存在すると判定した場合、S1AP:Handover Requiredメッセージに、保存したDirect Forwarding Path Availability IEの値を設定し、S1AP:Handover Requiredメッセージを、Ｔ−ＨｅＮＢ１２を収容するＴ−ＨｅＮＢ−ＧＷ１１へ送信する（Ｓ２５）。
【００６７】
続いて、図６を用いてＴ−ＭＭＥ１０が実行するハンドオーバ処理の流れについて説明する。はじめに、Ｔ−ＭＭＥ１０の受信部１０１は、Ｓ−ＭＭＥ２から送信されたGTPv2-C:Forward Relocation Requestメッセージを受信する（Ｓ３１）。
【００６８】
次に、Ｔ−ＭＭＥ１０の送信部１０２は、GTPv2-C:Forward Relocation Requestメッセージに設定されたIndication Flags IEのDirect Forwarding Indicationの値を判定する（Ｓ３２）。
【００６９】
Ｔ−ＭＭＥ１０の送信部１０２は、Direct Forwarding Indicationの値が１であれば、S1AP:Handover RequestメッセージのDirect Forwarding Path Availability IEに、directPathAvailableを設定し、S1AP:Handover Requestメッセージを、Ｔ−ＨｅＮＢ−ＧＷ１１へ送信する（Ｓ３３）。
【００７０】
Ｔ−ＭＭＥ１０の送信部１０２は、Direct Forwarding Indicationの値が１以外、例えば０であれば、S1AP:Handover RequestメッセージのDirect Forwarding Path Availability IEに、directPathAvailableを設定することなく、S1AP:Handover Requestメッセージを、Ｔ−ＨｅＮＢ−ＧＷ１１へ送信する（Ｓ３４）。もしくは、Ｔ−ＭＭＥ１０の送信部１０２は、Direct Forwarding Indicationの値が１以外であれば、S1AP:Handover RequestメッセージのDirect Forwarding Path Availability IEに、Indirect Forwardingを実施することを示す情報を設定してもよい。
【００７１】
ここで、図７を用いて、Ｔ−ＭＭＥ１０からＴ−ＨｅＮＢ−ＧＷ１１へ送信されるS1AP:Handover Requestメッセージについて説明する。
【００７２】
図７には、S1AP:Handover RequestメッセージのIEに、Direct Forwarding Path Availabilityが含まれていることを示している。さらに、Direct Forwarding Path Availability IEには、Direct Path Available等の値が設定されることを示している。
【００７３】
続いて、図８を用いてＴ−ＨｅＮＢ−ＧＷ１１が実行するハンドオーバ処理の流れについて説明する。はじめに、Ｔ−ＨｅＮＢ−ＧＷ１１の受信部１１１は、Ｔ−ＭＭＥ１０から送信されたS1AP:Handover Requestメッセージを受信する（Ｓ４１）。次に、Ｔ−ＨｅＮＢ−ＧＷ１１の受信部１１１は、S1AP:Handover Requestメッセージに設定されたDirect Forwarding Path Availability IEを保存する（Ｓ４２）。
【００７４】
次に、Ｔ−ＨｅＮＢ−ＧＷ１１の送信部１１２は、Ｔ−ＨｅＮＢ１２へS1AP:Handover Requestメッセージを送信する（Ｓ４３）。次に、Ｔ−ＨｅＮＢ−ＧＷ１１の受信部１１１は、S1AP:Handover Requestメッセージの応答信号としてＴ−ＨｅＮＢ１２から送信されたS1AP:Handover Request Ackメッセージを受信する（Ｓ４４）。次に、Ｔ−ＨｅＮＢ−ＧＷ１１の送信部１１２は、ステップＳ４２において保存したDirect Forwarding Path Availability IEの値を判定する（Ｓ４５）。
【００７５】
Ｔ−ＨｅＮＢ−ＧＷ１１の送信部１１２は、Direct Forwarding Path Availability IEに、directPathAvailableが設定されていれば、Ｔ−ＨｅＮＢ１２から送信されたS1AP:Handover Request AckメッセージをそのままＴ−ＭＭＥ１０へ転送する（Ｓ４６）。
【００７６】
Ｔ−ＨｅＮＢ−ＧＷ１１の送信部１１２は、Direct Forwarding Path Availability IEに、directPathAvailableが設定されていない、もしくは、Indirect Forwardingを実施することを示す情報が設定されている場合、Ｔ−ＨｅＮＢ１２から送信されたS1AP:Handover Request Ackメッセージの内容を変換してＴ−ＭＭＥ１０へ転送する。具体的には、Ｔ−ＨｅＮＢ−ＧＷ１１の送信部１１２は、S1AP:Handover Request AckメッセージのERABｓ Admitted List>E-RABs Admitted Item IEs>>DL Transport Layer Address、DL GTP-TEID、UL Transport Layer Address、UL GTP-TEIDをＴ−ＨｅＮＢ−ＧＷ１１のＩＰアドレス及びＴＥＩＤに変換し、S1AP:Handover Request AckメッセージをＴ−ＭＭＥ１０へ転送する（Ｓ４７）。
【００７７】
以上説明したように、例示的な実施の形態３にかかる移動通信システムを用いることによって、Ｔ−ＭＭＥ１０は、Direct Forwardingを実施するかもしくはIndirect Forwardingを実施するかを示すDirect Forwarding Path Availability IEを設定したS1AP:Handover RequestメッセージをＴ−ＨｅＮＢ−ＧＷ１１へ送信することができる。これによって、Ｔ−ＨｅＮＢ−ＧＷ１１は、Ｓ−ＨｅＮＢ１２がDirect Forwardingを実施するかもしくはIndirect Forwardingを実施するかを判定することができる。そのため、Ｔ−ＨｅＮＢ−ＧＷ１１は、Ｓ−ＨｅＮＢ５におけるフォワーディング種別に応じて、データのフォワーディング先として適切な宛先を設定して、Ｓ−ＨｅＮＢ５へ通知することができる。
【００７８】
（実施の形態４）
続いて、図９〜図１６を用いて、例示的な実施の形態３の変形例となる実施の形態４にかかる移動通信システムの構成例について説明する。本実施形態は、図９〜図１６に示される移動通信システムに適用されてもよい。実施の形態３においては、移動通信システムが、Ｓ−ＭＭＥ２及びＴ−ＭＭＥ１０並びにＳ−ＳＧＷ１及びＴ−ＳＧＷ９を有する構成について説明したが、図９においては、Ｔ−ＨｅＮＢ−ＧＷ１１が、Ｓ−ＳＧＷ１及びＳ−ＭＭＥ２に接続する構成を示している。本図の構成においては、Ｓ−ＭＭＥ２及びＴ−ＭＭＥ１０間におけるGTPv2-C:Forward Relocation Requestメッセージ及びGTPv2-C:Forward Relocation Responseメッセージの送受信が省略される。また、本図においては、Ｓ−ＭＭＥ２が、Ｔ−ＨｅＮＢ−ＧＷ１１へDirect Forwarding Path Availability IEを設定したS1AP:Handover Requestメッセージを送信する。
【００７９】
続いて、図１０を用いて変形例となる移動通信システムの構成例について説明する。本図においては、Ｓ−ｅＮＢ４Ａが形成するセル６Ａから、Ｔ−ＨｅＮＢ−ＧＷ１１配下のＴ−ＨｅＮＢ１２が形成するセル１３へハンドオーバする場合の移動通信システムの構成例を示している。本図においては、Ｓ−ｅＮＢ４Ａが、ゲートウェイ装置を介さず、直接Ｓ−ＭＭＥ２へS1AP:Handover Requiredメッセージ等を送受信する。
【００８０】
続いて、図１１を用いて、変形例となる移動通信システムの構成例について説明する。
本図は、Ｓ−ＨｅＮＢ−ＧＷ３を有さない構成例を示している。つまり、Ｓ−ＨｅＮＢ４は、Ｓ−ＨｅＮＢ−ＧＷ３を介さずに直接Ｓ−ＭＭＥ２へ収容されている。本図においては、Ｓ−ＨｅＮＢ４が、ゲートウェイ装置を介さず、直接Ｓ−ＭＭＥ２へS1AP:Handover Requiredメッセージ等を送受信する。
【００８１】
続いて、図１２を用いて変形例となる移動通信システムの構成例について説明する。本図は、Ｓ−ＨｅＮＢ４及びＳ−ＨｅＮＢ−ＧＷ３のかわりに、Relay Node（ＲＮ）４１及びDonor eNB（ＤｅＮＢ）３５が用いる構成を示している。ＲＮ４１は、ＤｅＮＢ３５のサービスエリア、つまり通信カバレッジを拡大するために、ＤｅＮＢ３５から張り出されて設置されるノード装置である。つまり、ＲＮ４１及びＤｅＮＢ３５は離れた位置に配置され、ＲＮ４１及びＤｅＮＢ３５間は、例えば光ファイバーネットワーク等を用いて接続されてもよい。
【００８２】
また、図１３には、図１２と異なり、ハンドオーバ先の装置であるＴ−ＨｅＮＢ１２及びＴ−ＨｅＮＢ−ＧＷ１１のかわりに、ＲＮ１２１及びＤｅＮＢ１１５が用いられている構成例が示されている。また、図１４には、ＵＥ８が、Ｓ−ｅＮＢ４Ａが形成するセル６Ａから、ＲＮ１２１が形成するセル１３１へ移動する場合の移動通信システムの構成例が示されている。また、図１５には、ＵＥ８が、Ｓ−ＭＭＥ２に直接収容されるＳ−ＨｅＮＢ４が形成するセル６から、ＲＮ１２１が形成するセル１３１へ移動する場合の移動通信システムの構成例が示されている。また、図１６には、ＵＥ８が、ＲＮ４１が形成するセル６１からＲＮ１２１が形成するセル１３１へ移動する場合の移動通信システムの構成例が開示されている。
【００８３】
以上説明したように、様々な移動通信システムにおいて、Ｔ−ＨｅＮＢ−ＧＷもしくはＤｅＮＢは、Ｓ−ＨｅＮＢ、Ｓ−ｅＮＢもしくはＲＮが適用するフォワーディング種別を把握することができる。そのため、Ｔ−ＨｅＮＢ−ＧＷもしくはＤｅＮＢは、Ｓ−ＨｅＮＢ、Ｓ−ｅＮＢもしくはＲＮが適用するフォワーディング種別に応じて、適切な宛先に関する情報をＳ−ＨｅＮＢ、Ｓ−ｅＮＢもしくはＲＮへ通知することができる。
【００８４】
（実施の形態５）
続いて、図１７を用いて例示的な実施の形態５にかかるＴ−ＨｅＮＢ−ＧＷ１１におけるハンドオーバ処理の流れについて説明する。ステップＳ５１〜Ｓ５４は、図８におけるステップＳ４１〜Ｓ４４と同様であるため詳細な説明を省略する。
【００８５】
ステップＳ５５において、Ｔ−ＨｅＮＢ−ＧＷ１１の送信部１１２は、Ｔ−ＨｅＮＢ１２とデータフォワーディングを行うＳ−ＨｅＮＢ５とが、Direct Forwardingを使用することができるか否かを設定しているデータベースを用いて、Direct Forwardingの使用可否を判定する。例えば、Ｔ−ＨｅＮＢＧ−ＧＷ１１の送信部１１２は、データベースに、Ｓ−ＨｅＮＢ５の設定値にＴＲＵＥが設定されている場合、Ｓ−ＨｅＮＢ５及びＴ−ＨｅＮＢ１２との間においてDirect Forwardingを実施することができると判定して、Ｔ−ＨｅＮＢ１２から送信されたS1AP:Handover Request AckメッセージをそのままＴ−ＭＭＥ１０へ転送する（Ｓ５６）。
【００８６】
例えば、Ｔ−ＨｅＮＢＧ−ＧＷ１１の送信部１１２は、データベースに、Ｓ−ＨｅＮＢ５の設定値にＦＡＬＳＥが設定されている場合、Ｓ−ＨｅＮＢ５及びＴ−ＨｅＮＢ１２との間においてDirect Forwardingを実施することができない、つまり、Indirect Forwardingを実施すると判定して、Ｔ−ＨｅＮＢ１２から送信されたS1AP:Handover Request Ackメッセージの内容を変換してＴ−ＭＭＥ１０へ転送する。具体的には、Ｔ−ＭＭＥ１０の送信部１１２は、S1AP:Handover Request AckメッセージのERABｓ Admitted List>E-RABs Admitted Item IEs>>DL Transport Layer Address、DL GTP-TEID、UL Transport Layer Address、UL GTP-TEIDをＴ−ＨｅＭＢ−ＧＷ１１のＩＰアドレス及びＴＥＩＤに変換し、S1AP:Handover Request AckメッセージをＴ−ＭＭＥ１２へ転送する（Ｓ５７）。
【００８７】
また、データベースは、例えば、図１８に示すように、Ｓ−ＨｅＮＢ ＩＤと、Ｔ−ＨｅＮＢ ＩＤとの組み合わせに対して、Direct Forwardingの使用可否に関する設定値が定められてもよい。
【００８８】
さらに、Direct Forwardingの使用可否に関する情報は、ＨｅＮＢのＯ＆Ｍシステムが、ＨｅＮＢ−ＧＷのＯ＆Ｍシステムと連携し、ＨｅＮＢのＯ＆Ｍシステムが保持するDirect Forwardingの使用可否に関する情報をＨｅＮＢ−ＧＷのＯ＆Ｍシステムが取得し、上述したデータベースに設定してもよい。
【００８９】
また、図１７及び図１８の説明において、主にＨｅＮＢ及びＨｅＮＢ−ＧＷを用いて説明したが、ＨｅＮＢは、ＲＮであってもよく、ＨｅＮＢ−ＧＷは、ＤｅＮＢであってもよい。
【００９０】
以上説明したように、例示的な実施の形態５にかかるハンドオーバ処理の流れを用いることによって、既存のS1AP:Handover Requestメッセージ等に新たな情報を追加することなく、Ｔ−ＨｅＮＢ−ＧＷが、Ｓ−ＨｅＮＢにおけるDirect Forwardingの使用可否を判定することができる。
図１９は、例示的な実施形態の無線通信システムの構成を示す。
図１９の移動通信システム（LTEシステム）は、Source Serving-Gateway（Ｓ−ＳＧＷ）１、Target SGW（Ｔ−ＳＧＷ）９、Ｓ−Mobility Management Entity（ＭＭＥ）２、Ｔ−ＭＭＥ１０、Ｓ−Home eNB（ＨｅＮＢ）−ＧＷ３、Ｔ−ＨｅＮＢ−ＧＷ１１、Ｓ−ＨｅＮＢ４、Ｓ−ＨｅＮＢ５及びＴ−ＨｅＮＢ１２を有している。
Ｓ−ＳＧＷ１及びＴ−ＳＧＷ９は、コアネットワークにおいてユーザデータを伝送可能に構成されている。Ｓ−ＭＭＥ２及びＴ−ＭＭＥ１０は、コアネットワークにおいて信号制御もしくはＵＥ８の移動管理を行うことが可能に構成されている。さらに、Ｓ−ＭＭＥ２及びＴ−ＭＭＥ１０は、Ｓ−ＭＭＥ２、Ｔ−ＭＭＥ１０、後述するＳ−ＨｅＮＢ−ＧＷ３及びＴ−ＨｅＮＢ−ＧＷ１１の間におけるユーザデータ経路の設定処理を行うことが可能に構成されている。
Ｓ−ＨｅＮＢ４、Ｓ−ＨｅＮＢ５及びＴ−ＨｅＮＢ１２は、ＬＴＥシステムに配置されるフェムト基地局である。フェムト基地局は、通信エリア（カバレッジエリア）が数メートルもしくは数十メートル等である。数キロメートルの通信エリアを形成する一般的な基地局（例えば、マクロ基地局）と比較すると、フェムト基地局が形成する通信エリアは狭い。Ｓ−ＨｅＮＢ４、Ｓ−ＨｅＮＢ５及びＴ−ＨｅＮＢ１２は、それぞれセル６、セル７及びセル１３を通信カバレッジとし、それぞれのセルに在圏するＵＥ８と無線通信を行う。
Ｓ−ＨｅＮＢ−ＧＷ３及びＴ−ＨｅＮＢ−ＧＷ１１は、複数のＨｅＮＢを収容するゲートウェイであり、ＨｅＮＢとコアネットワークとの間において送受信されるユーザデータ及び制御信号の中継を行う。
ここで、Ｓ−ＨｅＮＢ４もしくはＳ−ＨｅＮＢ５は、移動前のＵＥ８が、現在在圏しているセルを形成しているＨｅＮＢであることを示している。また、Ｓ−ＨｅＮＢ−ＧＷ３は、Ｓ−ＨｅＮＢ４及びＳ−ＨｅＮＢ５を収容し、Ｓ−ＳＧＷ１及びＳ−ＭＭＥ２は、それぞれＳ−ＨｅＮＢ−ＧＷ３と接続している。
Ｔ−ＨｅＮＢ１２は、ＵＥ８の移動先のセルを形成しているＨｅＮＢであることを示している。Ｔ−ＨｅＮＢ−ＧＷ１１は、Ｔ−ＨｅＮＢ１２を収容し、Ｔ−ＳＧＷ９及びＴ−ＭＭＥ１０は、それぞれＴ−ＨｅＮＢ−ＧＷ１１と接続している。
図１９において、現在ＵＥ８は、セル７に在圏し、Ｓ−ＨｅＮＢ５及びＳ−ＨｅＮＢ−ＧＷ３を経由して、コアネットワークのＳ−ＳＧＷ１及びＳ−ＭＭＥ２と接続し、通信を行っていると仮定する。この時、ＵＥ８がセル１３へ移動すると、Ｓ−ＨｅＮＢ５は、ＵＥ８のハンドオーバ処理を実施する。また、Ｓ−ＨｅＮＢ５は、ハンドオーバ処理の途中においてＵＥ８へ送信することができなかった下りユーザデータもしくは上りユーザデータを、Ｔ−ＨｅＮＢ１２へ送信する。この時、Direct Forwardingを用いる場合、Ｓ−ＨｅＮＢ５は、Ｓ−ＨｅＮＢ５とＴ−ＨｅＮＢ１２とを直接接続する有線リンク（Ｘ２リンク）を介してデータを転送する。また、Indirect Forwardingを用いる場合、Ｓ−ＨｅＮＢ５は、Ｓ−ＨｅＮＢ５、Ｓ−ＨｅＮＢ−ＧＷ３、Ｓ−ＳＧＷ１、Ｔ−ＳＧＷ９、Ｔ−ＨｅＮＢ−ＧＷ１１及びＴ−ＨｅＮＢ１２を介してデータを転送する。また、ハンドオーバ処理の途中に発生したＵＥに関するデータが、移動先のＨｅＮＢへ転送されることを、データフォワーディングと称してもよい。さらに、Direct Forwarding及びIndirect Forwardingがデータフォワーディング種別と称してもよい。
ここで、本発明者らは、Ｓ−ＨｅＮＢ５がDirect Forwardingを行うかIndirect Forwardingを行うかに関するデータフォワーディング種別をＴ−ＨｅＮＢ−ＧＷ１１が認識できないことを見出した。言い換えると、Ｔ−ＭＭＥ１０は、Ｔ−ＨｅＮＢ−ＧＷ１１に対して、Ｓ−ＨｅＮＢ５のデータフォワーディング種別を通知する機能を有していない。そのため、データフォワーディングが失敗する可能性がある。すなわち、発明者らは、この問題がＴ−ＨｅＮＢ−ＧＷ１１が、データフォワーディング種別に関する情報を把握していないことに起因することを見出した。
上述した例示的な実施形態によれば、この問題を解決し、データの転送経路に関する情報を適切な装置に通知することができる。
【００９１】
なお、例えば、上述の実施形態３乃至５に記載の基地局は、ＨｅＮＢとしたが、ＨＮＢやＮＢであっても良い。同様に、実施形態３乃至５に記載の通信装置は、ＨｅＮＢ−ＧＷとしたが、ＨＮＢ−ＧＷやＮＢ−ＧＷとしても良い。
【００９２】
また、上述の実施形態１乃至５に記載の移動通信システムは、例えば、ＬＴＥネットワークを有する移動通信システムや、Wideband Code Division Multiple Access (ＷＣＤＭＡ)（登録商標）ネットワークを有する移動通信システムに適用することができる。
【００９３】
また、上述の例示的な実施の形態は、ハードウェアの構成として説明したが、例示的な実施形態は、これに限定されるものではない。例えば、例示的な実施形態は、図５、図６、図８及び図１７における処理を、ＣＰＵ（Central Processing Unit）にコンピュータプログラムを実行させることにより実現することも可能である。
【００９４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９５】
以上、実施形態を参照して本願発明を説明したが、本願発明は上記実施形態に限定されるものではない。本願発明の構成や詳細には、本願発明のスコープ内で当業者が理解し得る様々な変更をすることができる。
（付記）
なお、本発明の範囲は、図示され記載された例示的な実施形態に限定されるものではなく、本発明が目的とするものと均等な効果をもたらすすべての実施形態をも含む。さらに、本発明の範囲は、すべての開示されたそれぞれの特徴のうち特定の特徴のあらゆる所望する組み合わせによって画されうる。
前述の実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
無線端末が第一の装置から第二の装置にハンドオーバする場合において、
前記第二の装置及びコアネットワークノードと通信を行う手段と、
前記ハンドオーバのとき、前記コアネットワークノードから制御情報を受信する手段と、を有し、
前記制御情報は、前記第一の装置から前記第二の装置に対して転送するデータの転送経路に関する情報である、通信装置。
（付記２）
前記制御情報は、前記データの転送をダイレクトフォワーディングで行うか否かを示す情報である、付記１に記載の通信装置。
（付記３）
前記第一の装置は、前記コアネットワークノードを有するコアネットワークに対して前記制御情報を送信する、付記１または２に記載の通信装置。
（付記４）
前記通信装置は、前記第二の装置のゲートウェイ装置である、付記１乃至３のいずれか一項に記載の通信装置。
（付記５）
前記制御情報が、前記データの転送をインダイレクトフォワーディングで行うことを示す場合、前記データをインダイレクトフォワーディングで転送する場合に用いるトンネルが形成される、付記１乃至４のいずれか一項に記載の通信装置。
（付記６）
前記通信装置は、前記第二の装置からHANDOVER REQUEST ACKメッセージを受信する手段と、
前記制御情報が、前記データの転送をインダイレクトフォワーディングで行うことを示す場合、前記HANDOVER REQUEST ACKメッセージに含まれる前記第二の装置の識別情報を前記通信装置の識別情報に変換したメッセージを、前記コアネットワークノードに送信する手段と、を有する、付記１乃至５のいずれか一項に記載の通信装置。
（付記７）
前記制御情報は、Direct Forwarding Path Availability IEであり、
前記制御情報を受信する手段は、前記コアネットワークノードから、前記Direct Forwarding Path Availability IEを含むHANDOVER REQUESTメッセージを受信する、付記１乃至６のいずれか一項に記載の通信装置。
（付記８）
前記制御情報は、Source to Target Transparent Container IEに含まれ、
前記制御情報を受信する手段は、前記コアネットワークノードから、前記Source to Target Transparent Container IEを含むHANDOVER REQUESTメッセージを受信する、付記１乃至６のいずれか一項に記載の通信装置。
（付記９）
無線端末が第一の装置から第二の装置にハンドオーバする場合において、
前記第二の装置との間で通信を行う通信装置と通信を行う手段と、
前記ハンドオーバのとき、前記通信装置へ制御情報を送信する手段と、を有し、
前記制御情報は、前記第一の装置から前記第二の装置に対して転送するデータの転送経路に関する情報である、コアネットワークノード。
（付記１０）
前記制御情報は、前記データの転送をダイレクトフォワーディングで行うか否かを示す情報である、付記９に記載のコアネットワークノード。
（付記１１）
前記制御情報は、前記第一の装置から、前記コアネットワークノードを有するコアネットワークに送信される、付記９または１０に記載のコアネットワークノード。
（付記１２）
前記通信装置は、前記第二の装置のゲートウェイ装置である、付記９乃至１１のいずれか一項に記載のコアネットワークノード。
（付記１３）
前記制御情報が、前記データの転送をインダイレクトフォワーディングで行うことを示す場合、前記データをインダイレクトフォワーディングで転送する場合に用いるトンネルが形成される、付記９乃至１２のいずれか一項に記載のコアネットワークノード。
（付記１４）
前記制御情報が、前記データの転送をインダイレクトフォワーディングで行うことを示す場合、前記第二の装置から送信されたHANDOVER REQUEST ACKメッセージに含まれる前記第二の装置の識別情報を前記通信装置の識別情報に変換したメッセージを、前記通信装置から受信する手段、を有する、付記９乃至１３のいずれか一項に記載のコアネットワークノード。
（付記１５）
前記制御情報は、Direct Forwarding Path Availability IEであり、
前記制御情報を送信する手段は、前記通信装置へ前記Direct Forwarding Path Availability IEを含むHANDOVER REQUESTメッセージを送信する、付記９乃至１４のいずれか一項に記載のコアネットワークノード。
（付記１６）
前記制御情報は、Source to Target Transparent Container IEに含まれ、
前記制御情報を送信する手段は、前記通信装置へ前記Source to Target Transparent Container IEを含むHANDOVER REQUESTメッセージを送信する、付記９乃至１４のいずれか一項に記載のコアネットワークノード。
（付記１７）
第一の装置から第二の装置へハンドオーバを行う無線端末と、
前記第二の装置及びコアネットワークノードと通信を行う通信装置と、を有し、
前記ハンドオーバのとき、前記コアネットワークノードは、前記通信装置に対して制御情報を送信し、
前記制御情報は、前記第一の装置から前記第二の装置に対して転送するデータの転送経路に関する情報である、移動通信システム。
（付記１８）
前記制御情報は、前記データの転送をダイレクトフォワーディングで行うか否かを示す情報である、付記１７に記載の移動通信システム。
（付記１９）
前記第一の装置は、前記コアネットワークノードを有するコアネットワークに対して前記制御情報を送信する、付記１７または１８に記載の移動通信システム。
（付記２０）
前記通信装置は、前記第二の装置のゲートウェイ装置である、付記１７乃至１９のいずれか一項に記載の移動通信システム。
（付記２１）
前記制御情報が、前記データの転送をインダイレクトフォワーディングで行うことを示す場合、前記データをインダイレクトフォワーディングで転送する場合に用いるトンネルが形成される、付記１７乃至２０のいずれか一項に記載の移動通信システム。
（付記２２）
前記通信装置は、前記第二の装置からHANDOVER REQUEST ACKメッセージを受信する手段と、
前記制御情報が、前記データの転送をインダイレクトフォワーディングで行うことを示す場合、前記HANDOVER REQUEST ACKメッセージに含まれる前記第二の装置の識別情報を前記通信装置の識別情報に変換したメッセージを、前記コアネットワークノードに送信する手段と、を有する、付記１７乃至２１のいずれか一項に記載の移動通信システム。
（付記２３）
前記制御情報は、Direct Forwarding Path Availability IEであり、
前記通信装置は、前記コアネットワークノードから、前記Direct Forwarding Path Availability IEを含むHANDOVER REQUESTメッセージを受信する、付記１７乃至２２のいずれか一項に記載の移動通信システム。
（付記２４）
前記制御情報は、Source to Target Transparent Container IEに含まれ、
前記通信装置は、前記コアネットワークノードから、前記Source to Target Transparent Container IEを含むHANDOVER REQUESTメッセージを受信する、付記１７乃至２２のいずれか一項に記載の移動通信システム。
（付記２５）
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信する受信工程を有する、通信方法。
（付記２６）
前記制御情報は、前記データの転送をダイレクトフォワーディングで行うか否かを示す情報である、付記２５に記載の通信方法。
（付記２７）
前記制御情報が、前記データの転送をインダイレクトフォワーディングで行うことを示す場合、前記データをインダイレクトフォワーディングで転送する場合に用いるトンネルが形成される付記２５または２６に記載の通信方法。
（付記２８）
前記制御情報が、前記データの転送をインダイレクトフォワーディングで行うことを示す場合、前記制御情報を受信した後に、前記第二の装置から送信されたHANDOVER REQUEST ACKメッセージに含まれる前記第二の装置の識別情報を通信装置である自装置の識別情報に変換したメッセージを、前記コアネットワークノードに送信する工程を有する、付記２５乃至２７のいずれか一項に記載の通信方法。
（付記２９）
前記制御情報は、Direct Forwarding Path Availability IEであり、
前記受信工程は、前記コアネットワークノードから、前記Direct Forwarding Path Availability IEを含むHANDOVER REQUESTメッセージを受信する、付記２５乃至２８のいずれか一項に記載の通信方法。
（付記３０）
前記制御情報は、Source to Target Transparent Container IEに含まれ、
前記受信工程は、前記コアネットワークノードから、前記Source to Target Transparent Container IEを含むHANDOVER REQUESTメッセージを受信する、付記２５乃至２８のいずれか一項に記載の通信方法。
（付記３１）
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信するステップをコンピュータに実行させるプログラム。
（付記３２）
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信するステップをコンピュータに実行させるプログラムを記憶する記憶媒体。
（付記３３）
無線端末が第一の装置から第二の装置にハンドオーバする場合において、
前記第二の装置及びコアネットワークノードと通信可能に構成され、
前記ハンドオーバのとき、前記コアネットワークノードから制御情報を受信可能に構成され、
前記制御情報は、前記第一の装置から前記第二の装置に対して転送するデータの転送経路に関する情報である、通信装置。
（付記３４）
無線端末の第一の装置から第二の装置へのハンドオーバ時において、
前記第二の装置及びコアネットワークノードと通信可能に構成された通信部と、
前記ハンドオーバのとき、前記コアネットワークノードから制御情報を受信可能に構成され受信機とを有し、
前記制御情報は、前記第一の装置から前記第二の装置に対して転送するデータの転送経路に関する情報である、通信装置。
この出願は、２０１３年７月３１日に出願された日本出願特願２０１３−１５８４６１を基礎とする優先権を主張し、その開示の全てをここに取り込む。
【符号の説明】
【００９６】
１  Ｓ−ＳＧＷ
２  Ｓ−ＭＭＥ
３  Ｓ−ＨｅＮＢ−ＧＷ
４  Ｓ−ＨｅＮＢ
４Ａ  Ｓ−ｅＮＢ
５  Ｓ−ＨｅＮＢ
６、６Ａ、７  セル
８  ＵＥ
９  Ｔ−ＳＧＷ
１０  Ｔ−ＭＭＥ
１１  Ｔ−ＨｅＮＢ−ＧＷ
１２  Ｔ−ＨｅＮＢ
１３  セル
１５  中継装置
２０  コアネットワーク制御装置
２５  コアネットワークノード
２１  受信部
２２  送信部
３０  通信装置
３１  受信部
３２  送信部
３５  ＤｅＮＢ
４０  基地局
４１  ＲＮ
５０  基地局
５５  装置
６０、６１、７０  セル
８０  通信端末
８５  無線端末
９０  中継装置
１００  コアネットワーク制御装置
１０１  受信部
１０２  送信部
１１０  通信装置
１１１  受信部
１１２  送信部
１１５  ＤｅＮＢ
１２０  基地局
１２５  装置
１２１  ＲＮ
１３０、１３１  セル
【図１】
2015015773.tif 000003
【図２】
2015015773.tif 000004
【図３】
2015015773.tif 000005
【図４】
2015015773.tif 000006
【図５】
2015015773.tif 000007
【図６】
2015015773.tif 000008
【図７】
2015015773.tif 000009
【図８】
2015015773.tif 000010
【図９】
2015015773.tif 000011
【図１０】
2015015773.tif 000012
【図１１】
2015015773.tif 000013
【図１２】
2015015773.tif 000014
【図１３】
2015015773.tif 000015
【図１４】
2015015773.tif 000016
【図１５】
2015015773.tif 000017
【図１６】
2015015773.tif 000018
【図１７】
2015015773.tif 000019
【図１８】
2015015773.tif 000020
【図１９】
2015015773.tif 000021
【手続補正書】
【提出日】平成28年1月21日(2016.1.21)
【手続補正２】
【補正対象書類名】特許請求の範囲
【補正対象項目名】請求項３１
【補正方法】変更
【補正の内容】
【請求項３１】
無線端末が第一の装置から第二の装置にハンドオーバする場合において、
前記ハンドオーバのとき、コアネットワークノードから、前記第一の装置から前記第二の装置に対して転送するデータの転送経路に関する情報である制御情報を受信するプロセスをコンピュータに実行させるプログラム。
【国際調査報告】
2015015773.tif 000022
2015015773.tif 000023
2015015773.tif 000024
2015015773.tif 000025